(57)【要約】      （修正有）【課題】自動的に戻り閉まる機能を備え、使用時の便利性を高めるドアフレームのない蝶番を提供する。【解決手段】主に、挟持板１、固定板４、回転軸３、及び接合体２を備えるドアフレームのない蝶番において、前記回転軸の表面には最低一つの玉用溝３１を設け、回転軸を接合体の軸孔内に嵌設する。前記接合体は、最低一つの軸孔２１と垂直に交差して貫通する嵌合孔２２を設け、それには定位玉２４１、玉台２４、及びバネ２５を内設することにより、定位玉は回転軸表面を圧接し、挟持板と接合体間は回転軸で連結し、固定板は接合体一方側に設ける。上記を応用したガラスドアを開く場合、回転軸の玉用溝は定位玉端面と偏向回転角度を形成し、定位玉が改めて玉用溝に戻る特性を利用して、ガラスドアに自動的に戻り閉まる機能を達成させることができる。【選択図】図１
0003152907.tif 000002
【実用新案登録請求の範囲】
【請求項１】
挟持板、接合体、回転軸、及び固定板を備えるドアフレームのない蝶番において、
前記の挟持板一対は、向き合わせてから複数の挟持板ネジで螺着し、二つの挟持板中央には切口部を設け、その内の一つの挟持板は切口部に沿って突出台を設け、前記突出台の両側にはそれぞれ固定溝を設け、
切口部に嵌入する前記接合体は、その一方側に軸孔を貫設、もう一方側には最低一つの軸孔と垂直に交差して貫通する嵌合孔、及び、軸孔と垂直関係の固定孔を設け、且つ、嵌合孔内には、最低、玉台及びバネを設け、前記玉台内には定位玉を設け、
軸孔内に可動状態で嵌設する前記回転軸は、その中央に、最低一つの玉用溝を設け、回転軸を軸孔に貫設した後、定位玉は回転軸表面を圧接し、回転軸両端の固定部をそれぞれ挟持板の固定溝内に設置することにより、接合体と挟持板の連結を完成させ、
接合体一方側に設ける前記固定板は、複数の固定孔を設け、固定ネジで接合体の固定孔に螺着して、接合体と固定端を連結させることを特徴とするドアフレームのない蝶番。
【請求項２】
前記突出台はコの字形で、その周囲には、最低一つの定位円柱を設けることを特徴とする請求項１記載のドアフレームのない蝶番。
【請求項３】
前記定位円柱を突出台の回転角度箇所に設けることを特徴とする請求項３記載のドアフレームのない蝶番。
【請求項４】
前記回転軸と接合体の軸孔間には潤滑ワッシャーを設けることを特徴とする請求項１記載のドアフレームのない蝶番。
【請求項５】
前記突出台の側面側には固定溝と垂直に交差して貫通する固定孔を設け、螺着する固定ネジによって回転軸の固定部を固定溝内箇所で固定することを特徴とする請求項１記載のドアフレームのない蝶番。
【考案の詳細な説明】
【技術分野】
【０００１】
本考案は、室内内装に適用し、特に回転軸と接合体間の定位設計によって、ガラスドアを自動的に開閉させるドアフレームなしの金属製蝶番に関する。
【背景技術】
【０００２】
現代建築においては、ガラス製フラットボードを室内内装の主要材質とするのは一般的な事であり、採光効果を増強させる他、ガラスドアの透視効果によって室内空間の空間感を強化する。大部分のガラスドアは加工が難しく、効果的な挟持固定構造とするのは難しい。よって、ドアフレームのない蝶番を使用してガラスドアと壁面を連結する場合、多くのドアフレームのない蝶番の固定端は壁面に固定し、活動端は螺着もしくは挟み込み固定方式によって、ガラスドアを天井板と床の間に掛ける状態で配置し、ドアフレームのない蝶番を支点としてガラスドアの開閉をする。
【０００３】
しかし、ドアフレームのない蝶番はガラスドアと壁面間の極小の隙間内に取り付ける故、その体積は一般の金属製蝶番と比べるとかなり小さく、機能上も極大な制限を受け、一般のドアフレームのない蝶番はドアの開閉機能があるだけで、且つその一方側は螺着もしくは挟持固定等の方法でガラスドアの周囲縁に固定している。よって、装着後、気温、時間効果、応力ネジの耐疲労等の原因による影響を受け易く、螺着力或いは挟持力の低下を引き起こし、ガラスドアの別の一端縁を移動する時に地面を擦り、開閉に影響する。更に、これらのドアフレームのない蝶番は体積の制限を受け、多くは自動的に戻り閉まる機能を持ち合わせてはいない。自動的に戻り閉まる機能を備える金属蝶番は、その構造は複雑で体積も大きい。設置する時、空間制限を受け、直接ガラスドアやガラス壁板上に装着することはできず、現場施工人員には装着の不便性がある。
【０００４】
本考案者は前述の欠点に鑑み、長年累積した工程設計の経験を基に、小体積で自動的に戻り閉まる機能を備えるドアフレームのない蝶番を設計し、使用や装着時の便利性を向上させる。
【考案の概要】
【考案が解決しようとする課題】
【０００５】
本考案の目的は、自動的に戻り閉まる機能を備え、使用時の便利性を高めるドアフレームのない蝶番を提供することにある。
【０００６】
本考案の次の目的は、装着後の挟持力を強化し、ガラスドア板の下垂現象発生を防止するドアフレームのない蝶番を提供することにある。
【課題を解決するための手段】
【０００７】
前述目的を達成する為、本考案は玉用溝の回転軸を設け、接合体の軸孔内に可動状態で貫設、回転軸の両端は挟持板間に固着して、挟持板と接合体に回転可能な枢着状態を形成し、接合体の一方側には固定板を設け、挟持板はガラスドア上に固着し、固定板はガラスドアの一方側の壁面に固着する。前記接合体には軸孔と垂直に交差して貫通する嵌合孔を内設、並びに、嵌合孔内には玉台及びバネを設け、玉台一端には定位玉を設け、バネの弾力性によって定位玉は回転軸の表面を圧接しており、ガラスドアの開閉時の回転に伴い、回転軸の玉用溝は定位玉との間に偏向回転角度を形成し、回転過程において、バネの弾力性によって定位玉は回転軸表面を圧接し続ける。よって、回転過程において、定位玉は玉用溝内に改めて戻り、ドアが自動的に戻り閉まる機能を追加し、本考案を使用する際の便利性を高める。
【０００８】
また、本考案内の一つの挟持板上に回転軸の突出台を設け、前記突出台は挟持板でガラスドアを挟みこむ場合の補強用途として用いられ、突出台の周囲（回転角度）には定位円柱を設け、ガラスドアの端縁には突出台形状に対応する切口部を設ける。切口部の内側溝口は外側溝口より大きく、挟持板をガラスドアの切口部に固定した時、凹凸結合の連結を形成し、挟持板がガラスドアを固定する挟持力を強化し、ガラスドア下垂現象発生を防止する。
【考案の効果】
【０００９】
本考案のドアフレームのない蝶番は、回転軸を使って挟持板と接合体間に連結し、回転軸の玉用溝と接合体内の定位玉を相互に圧接させ、その間の角度変化によって、自動的に戻り閉まる機能を実現し、また、第二挟持板上の突出台周囲に最低一つの定位円柱を設けることにより、ガラスドアに対する挟持力を強化し、ガラスドアの下垂現象を防止することを特徴とする。
【図面の簡単な説明】
【００１０】
【図１】本考案の実施例に関する分解図である。
【図２】本考案の装着時の外観図である。
【図３】本考案のもう一つの実施例の断面図である。
【図４】本考案のもう一つの実施例の使用図（１）である。
【図５】本考案のもう一つの実施例の使用図（２）である。
【考案を実施するための形態】
【００１１】
本考案の内容を理解して戴く為、図面を組み合わせた説明を次の通り行う。
【００１２】
図１乃至図４に示す通り、本考案は最低、挟持板１、接合体２、回転軸３、及び固定板４を備える。
前記挟持板１は、第一挟持板１１及び第二挟持板１２を設け、その間は複数の挟持板ネジ１３によって第一挟持板１１と第二挟持板１２を向き合わせて螺着する。前記第一挟持板１１と第二挟持板１２はコの字形で、中央部には切口部１１１、切口部１２１を設け、第二挟持板１２は切口部１１１に沿って、三辺に連結しコの字形を示す突出台１２２を設け、突出台１２２の両側には固定溝１２３を設け、切口部１２１の側辺には、固定溝１２３と垂直に交差して貫通し固定ネジ１２５を嵌設する為の固定孔１２４を設けることにより、固定ネジ１２５を固定溝１２３内に貫通させる。突出台１２２の周囲（特に回転角度箇所が最良）には、最低、定位円柱１２６を設ける。図３に示す通り、定位円柱１２６と突出台１２２は耳形に配置し、ガラスドア５には突出台１２２に対応する形状の切口部５１を設けて、第二挟持板１２の突出台１２２をガラスドア５の切口部５１内に嵌設、第一挟持板１１と第二挟持板１２の相互挟持結合の力を使って、ガラスドア５と挟持板１の連結を完成させる。
【００１３】
前記接合体２は、その一方側に軸孔２１、もう一方側に最低軸孔２１と垂直に交差して貫通する最低一つの嵌合孔２２、及び、軸孔２１と垂直関係の固定孔２３を設け、且つ、嵌合孔２２内には玉台２４及びバネ２５を設け、玉台２４一端には定位玉２４１を設け、他一端はバネ２５と連結する。
【００１４】
円柱状の前記回転軸３の中央部には、二つの玉用溝３１を設け、回転軸３の両端にはそれぞれ固定部３２を設け、回転軸３は接合体２の軸孔２１内に可動状態で貫設、その間には回転時の潤滑度を高める為の潤滑ワッシャー３３を設ける。回転軸３両端の固定部３２は、それぞれ前記突出台１２２の固定溝１２３内に配置し、突出台１２２の一方側の固定ネジ１２５を固定溝１２３の側壁に貫通させ、回転軸３の固定部３２を固定溝１２３内に挟持固定する。更に、図３に示す通り、本考案は回転軸３を挟持板１と接合体２の間に連結し、バネ２５の弾力性を使って、定位玉２４１が回転軸３の表面を圧接し（玉用溝３１を含む）、挟持板１と接合体２の連結を完成させる。
【００１５】
前記固定板４には複数の固定孔４１を設け、その内の幾つかの固定孔４１は接合体２固定孔２３に対応する位置に設け、並びに、固定ネジ４２で接合体２の固定孔２３内に螺着して接合体２と固定板４を連結させる。その他の固定孔４１は壁面６上に固設する。
【００１６】
装着時、固定板４は壁面６上に固設、挟持板１でガラスドア５両面を挟み込む故、装着が非常に便利である。更に、図４、図５に示す通り、本考案はバネ２５の弾力で玉台２４を圧接し、定位玉２４１端面が回転軸３の玉用溝３１内に入り込むようにすると、接合体２と挟持板１は同一平面に保たれ、ガラスドア５は閉じた状態を示す。ドアを開く場合、ガラスドア５は挟持板１を同時に回転させることにより、回転軸３の玉用溝３１と定位玉２４１は相対的に回転し、回転軸３の玉用溝３１は定位玉２４１との間に偏向回転角度αを形成する。ガラスドア５の偏向回転角度αが90度と等しいか大きい場合、ガラスドア５はドアが開くのを停止する状態を保ち続け、それとは反対に、ガラスドア５をプッシュして偏向回転角度αが90度より小さくなった場合、回転軸３の玉用溝３１は定位玉２４１に沿って回転し、これにより定位玉２４１は改めて玉用溝３１内に入り込み、バネ２５の弾力によって定位玉２４１が玉用溝３１内に嵌入し、ガラスドア５を閉めた状態に戻す効果が発生し、よって、自動的に戻り閉まる機能を達成し、使用時の便利性を高める。
【００１７】
更に、図３に示す通り、本考案の第二挟持板１２の突出台１２２上に定位円柱１２６を設けることにより、突出台１２２は定位円柱１２６と二つの耳形状配置となり、ガラスドア５の切口部５１形状は内側溝口が外側溝口より大きく、これにより、装着時、挟持板１の突出台１２２はガラスドア５の切口部５１内部に埋設され、凹凸結合の連結を形成し、挟持板ネジ１３がガラスドア５を螺着し、定位円柱１２６がガラスドア５の挟持力を強化している故、ガラスドア５の下垂現象を防止する。
【００１８】
前述は、図１乃至図５に示す通りであり、本考案を実施する場合、下記のような長所を備える。
（１）本考案は回転軸３を使って挟持板１と接合体２の間に連結し、回転軸３の玉用溝３１と接合体２内の定位玉２４１は相互に圧接し、その間の角度変化によって、自動的に戻り閉まる機能を実現する。
（２）更に、本考案の第二挟持板１２上の突出台１２２周囲に最低一つの定位円柱１２６を設けてガラスドア５に対する挟持力を強化し、ガラスドア５の下垂現象を防止する。
【００１９】
前述したものは、本考案の実施例であるだけで、本考案の実施範囲を限定するものではなく、その他の変化方式もまた本考案の範疇とする。本技術の熟知者によって作り出された同等効果または簡単な変化が本考案の精神と範囲を逸脱せずに作製された同等変化や修飾は全て本考案の実用新案請求の範囲内に含まれるものとする。
【００２０】
前述した通り、本考案のドアフレームのない蝶番は実用新案の新規性、及び産業利用価値を備えている。申請人はここに実用新案法の規定に基づき貴局に実用新案の出願を行う。
【符号の説明】
【００２１】
１    挟持板
１１    第一挟持板
１１１  切口部
１２    第二挟持板
１２１  切口部
１２２  突出台
１２３  固定溝
１２４  固定孔
１２５  固定ネジ
１２６  定位円柱
１３    挟持板ネジ
２    接合体
２１    軸孔
２２    嵌合孔
２３    固定孔
２４    玉台
２４１  定位玉
２５    バネ
３    回転軸
３１    玉用溝
３２    固定部
３３    潤滑ワッシャー
４    固定板
４１    固定孔
４２    固定ネジ
５    ガラスドア
５１    切口部
６    壁面
α    偏向回転角度
【図１】
0003152907.tif 000003
【図２】
0003152907.tif 000004
【図３】
0003152907.tif 000005
【図４】
0003152907.tif 000006
【図５】
0003152907.tif 000007
【手続補正書】
【提出日】平成21年6月17日(2009.6.17)
【手続補正１】
【補正対象書類名】実用新案登録請求の範囲
【補正対象項目名】請求項３
【補正方法】変更
【補正の内容】
【請求項３】
前記定位円柱を突出台の回転角度箇所に設けることを特徴とする請求項２記載のドアフレームのない蝶番。